(57)【要約】本発明のトリートメント装置は、充電池等の電気部品が内蔵された筐体と、複数のブラシを各々備え、透光性を有する材料で形成された第１及び第２ブラシユニットと、筐体内の複数のブラシの基端部分に内蔵されたＬＥＤランプと、筐体内の電気部品の収容部を外部に対してシールする防水用のＯリング及びパッキンと、頭皮に先端部を接触させた複数のブラシの先端部どうしの近接又は離間が繰り返されるようにして第１及び第２ブラシユニットをこの頭皮表面に沿った方向に往復動作させるブラシ駆動機構とを備えている。
2005025478.tif 000002
【特許請求の範囲】
【請求項１】
電源を含む電気部品が内蔵された筐体と、
前記筐体に突設されトリートメント対象の皮膚面に先端部を接触させて用いる接触子と、
前記筐体内の前記電気部品の収容部を外部に対してシールする防水用のシール部材と、
前記トリートメント対象の皮膚面に先端部を接触させた前記接触子を該皮膚面に沿った方向に往復動作させる接触子駆動機構と
を具備することを特徴とするトリートメント装置。
【請求項２】
前記接触子をそれぞれ複数設けてユニット化した第１及び第２の接触子群を有し、
前記接触子駆動機構は、前記第１の接触子群の先端部分と前記第２の接触子群の先端部分との近接又は離間が繰り返されるようにして該第１及び第２の接触子群をそれぞれ往復動作させることを特徴とする請求項１記載のトリートメント装置。
【請求項３】
前記第１及び第２の接触子群は、接触子どうしの移動軌跡の交差を避けるように、前記第１の接触子群の複数の接触子と前記第２の接触子群の複数の接触子とが千鳥配置になっていることを特徴とする請求項２記載のトリートメント装置。
【請求項４】
前記筐体が、前記電気部品の収容部を有する第１のケーシングと前記接触子を支持する第２のケーシングとから構成され、
前記第１のケーシングに対し前記第２のケーシングを着脱自在に接合するための着脱機構をさらに具備することを特徴とする請求項１記載のトリートメント装置。
【請求項５】
前記接触子が、ブラシであることを特徴とする請求項１記載のトリートメント装置。
【請求項６】
前記トリートメント対象の皮膚面に特定の波長の光を照射する光照射機構をさらに具備することを特徴とする請求項１記載のトリートメント装置。
【請求項７】
前記接触子が透光性を有する材料で形成されていることを特徴とする請求項１記載のトリートメント装置。
【請求項８】
トリートメント対象の皮膚面に特定の波長の光を照射する光照射機構と、
前記光照射機構及び電源を少なくとも含む電気部品が内蔵された筐体と、
前記筐体内の前記電気部品の収容部を外部に対してシールする防水用のシール部材と、
前記筺体に突設され、前記光照射機構が発する光を透過させる透光性を有し且つ前記トリートメント対象の皮膚面に先端部を接触させて用いる複数のブラシを各々ユニット化してなる第１及び第２のブラシ群と、
前記トリートメント対象の皮膚面に先端部を接触させた前記第１のブラシ群の先端部分と前記第２のブラシ群の先端部分との近接又は離間が繰り返されるようにして該第１及び第２のブラシ群を該皮膚面に沿った方向にそれぞれ往復動作させるブラシ駆動機構と
を具備することを特徴とするトリートメント装置。
【請求項９】
前記第１及び第２のブラシ群は、ブラシどうしの移動軌跡の交差を避けるように、前記第１のブラシ群の複数のブラシと前記第２のブラシ群の複数のブラシとが千鳥配置になっていることを特徴とする請求項８記載のトリートメント装置。
【請求項１０】
前記筐体は、前記電気部品の収容部を有する第１のケーシングと前記各ブラシを支持する第２のケーシングとから構成され、
前記第１のケーシングに対し前記第２のケーシングを着脱自在に接合するための着脱機構をさらに具備することを特徴とする請求項８記載のトリートメント装置。
【発明の詳細な説明】
【技術分野】  この発明は、例えば手足、肩等のボディ用マッサージや育毛等のトリートメントを行えるトリートメント装置に関する。
【背景技術】  従来、ヘアブラシでは、そのブラシ部分をブラッシングの際に振動させることにより、頭髪の育毛処理を効果的に行える構成のものが知られている（例えば、特開平１０−３２７９３６号公報参照）。
すなわち、このヘアブラシ装置は、ブラシが植設された筐体の内部にモータを配置し、このモータを用いてブラッシングの際にブラシ部分を振動させることで、頭皮を刺激して血流を促進し育毛処理を施すものである。
また、上記構造のヘアブラシ装置の他にも、ブラシ部に相当する複数の弾性突起で頭皮を軽く叩いた際に、弾性突起に生じる変形を利用し、弾性突起の先端部を径方向に移動させるようにしてマッサージ作用を付与するヘアブラシ型のマッサージ装置等も提案されている（例えば、特開平９−１２２１９２号公報参照）。
しかしながら、前者の特許文献に例示される振動型のヘアブラシ装置においては、振動で頭皮を刺激して得られる育毛効果が必ずしも十分であるとは言えず、育毛効果の改善が求められている。また、後者の特許文献の装置においても、圧縮力による弾性変形を利用して弾性突起の先端部を径方向に僅かに移動させるといった機能では、良好なマッサージ効果や、また頭皮からの汚れ物質の除去効果をあまり期待できず、これらの点で課題を抱えている。
また、このような用途で使用される装置において、育毛用の装置としてのみならず、例えば肩こりや筋肉痛等をほぐす機能や、さらには、手足、肩、顔、首筋等のボディ部分に例えば美肌処理を行う機能等を付加することへの要望もある。
ここで、上述した育毛処理やボディ部分へのトリートメントを実際に行う環境を考慮した場合、例えば洗髪やボディ部分の洗浄を併用できるように、お風呂場等の環境においても上記トリートメントを行いたいところである。
【発明の開示】
本発明は、このような課題を解決するためになされたもので、頭皮へのマッサージや頭皮からの汚れ物質の除去が好適に行われることで、優れた育毛効果を得ることができるとともに、ボディ部分へのマッサージや美肌処理等も行え、さらには、お風呂場等の使用環境においても装置への浸水等を懸念することなくトリートメントを行えるトリートメント装置の提供を目的とする。
上記目的を達成するために、本発明のトリートメント装置は、電源を含む電気部品が内蔵された筐体と、前記筐体に突設されトリートメント対象の皮膚面に先端部を接触させて用いる接触子と、前記筐体内の前記電気部品の収容部を外部に対してシールする防水用のシール部材と、前記トリートメント対象の皮膚面に先端部を接触させた前記接触子を該皮膚面に沿った方向に往復動作させる接触子駆動機構とを具備することを特徴とする。
また、本発明のトリートメント装置は、前記接触子をそれぞれ複数設けてユニット化した第１及び第２の接触子群を有し、前記接触子駆動機構が、前記第１の接触子群の先端部分と前記第２の接触子群の先端部分との近接又は離間が繰り返されるようにして該第１及び第２の接触子群をそれぞれ往復動作させることを特徴とする。
さらに、本発明のトリートメント装置は、前記第１及び第２の接触子群が、接触子どうしの移動軌跡の交差を避けるように、前記第１の接触子群の複数の接触子と前記第２の接触子群の複数の接触子とが千鳥配置になっていることを特徴とする。
また、本発明のトリートメント装置は、前記筐体が、前記電気部品の収容部を有する第１のケーシングと前記接触子を支持する第２のケーシングとから構成され、前記第１のケーシングに対し前記第２のケーシングを着脱自在に接合するための着脱機構をさらに具備することを特徴とする。
さらに、本発明のトリートメント装置は、前記接触子が、ブラシであることを特徴とする。
また、本発明のトリートメント装置は、前記トリートメント対象の皮膚面に特定の波長の光を照射する光照射機構をさらに具備することを特徴とする。
さらに、本発明のトリートメント装置は、前記接触子が透光性を有する材料で形成されていることを特徴とする。
また、本発明のトリートメント装置は、トリートメント対象の皮膚面に特定の波長の光を照射する光照射機構と、前記光照射機構及び電源を少なくとも含む電気部品が内蔵された筐体と、前記筐体内の前記電気部品の収容部を外部に対してシールする防水用のシール部材と、前記筐体に突設され、前記光照射機構が発する光を透過させる透光性を有し且つ前記トリートメント対象の皮膚面に先端部を接触させて用いる複数のブラシを各々ユニット化してなる第１及び第２のブラシ群と、前記トリートメント対象の皮膚面に先端部を接触させた前記第１のブラシ群の先端部分と前記第２のブラシ群の先端部分との近接又は離間が繰り返されるようにして該第１及び第２のブラシ群を該皮膚面に沿った方向にそれぞれ往復動作させるブラシ駆動機構とを具備することを特徴とする。
さらに、本発明のトリートメント装置は、上記第１及び第２のブラシ群が、ブラシどうしの移動軌跡の交差を避けるように、前記第１のブラシ群の複数のブラシと前記第２のブラシ群の複数のブラシとが千鳥配置になっていることを特徴とする。
また、本発明のトリートメント装置は、前記光照射機構及び電源を少なくとも含む電気部品が内蔵された筐体が、前記電気部品の収容部を有する第１のケーシングと前記各ブラシを支持する第２のケーシングとから構成され、前記第１のケーシングに対し前記第２のケーシングを着脱自在に接合するための着脱機構をさらに具備することを特徴とする。
【図面の簡単な説明】  図１は、本発明の第１の実施形態のトリートメント装置を示す斜視図である。
図２は、図１に示すトリートメント装置の分解斜視図である。
図３は、図１に示すトリートメント装置を基端部側からみた斜視図である。
図４は、図１のトリートメント装置が備えるブラシ駆動機構（ブラシどうしの離間状態）を示す断面図である。
図５は、図４のブラシ駆動機構のブラシどうしの近接状態を示す断面図である。
図６は、図４のブラシ駆動機構をブラシの先端側からみた平面図である。
図７は、本発明の第２の実施形態のトリートメント装置を基端部側からみた斜視図である。
図８は、図７のトリートメント装置が備える第１及び第２ブラシユニット及びその周辺の構造を示す断面図である。
図９は、図４の機構と構造の異なる他のブラシ駆動機構（ブラシどうしの離間状態）を示す断面図である。
図１０は、図９のブラシ駆動機構のブラシどうしの近接状態を示す断面図である。
【発明を実施するための最良の形態】  以下、本発明を添付の図面に従ってより詳細に説明する。
（第１の実施の形態）
図１は、本発明の第１の実施形態のトリートメント装置を示す斜視図、図２は、このトリートメント装置の分解斜視図、図３は、このトリートメント装置を基端部側からみた斜視図である。
これらの図に示すように、このトリートメント装置１は、頭皮への育毛処理、並びに手足、肩等のボディ部分へのマッサージ及び美肌処理等のトリートメントをユーザが自身で行えるハンディタイプ（可搬型）の装置である。トリートメント装置１は、その外郭が筐体２によって形成されている。筐体２は、電源としての充電池３を含む電気部品の収容部５を有する第１ケーシング６と、第１及び第２の接触子群としての第１ブラシユニット７及び第２ブラシユニット８を共に支持する第２ケーシング９とから構成されている。第１ケーシング６には、ユーザによって把持される把持部（柄部）６ａが設けられている。
また、ほぼ三角柱形状に形成された第２ケーシング９は、第１ケーシング６に対して着脱自在に構成されている。すなわち、図２に示すように、第１ケーシング６には、その先端方向に突出する円柱状のロックバー１０が設けられている。ロックバー１０の最先端部の端面には、操作溝１１が形成されおり、ロックバー１０は、この操作溝１１を通じてロックバー１０本体をその周面（円柱形状の周面）に沿った方向に僅かに回動させることが可能となっている。
また、ロックバー１０の周面の所定位置には、係合部が設けられている。この係合部は、第２ケーシング９の例えば内壁部分に設けられた被係合部と係合するように形成されている。ロックバー１０の係合部は、第１ケーシング６に対し第２ケーシング９を直列的に配置した状態で、係合軸１０を所定位置から、ある回転角以上回動させた場合に、第２ケーシング９の内壁の被係合部にロックされる。つまり、操作溝１１や係合部を有する第１ケーシング６側のロックバー１０と、第２ケーシング９の内壁の被係合部とは、第１ケーシング６に対し第２ケーシング９を着脱自在に接合するための着脱機構として機能する。
これにより、トリートメントを繰り返しているうちに例えば汚れてしまった第１及び第２ブラシユニット７、８を有する第２ケーシング９を、電気部品を有する第１ケーシング６側から矢印Ｘ１−Ｘ２方向に取り外してこれを洗浄することが可能となる。したがって、常に清浄な状態の第１及び第２ブラシユニット７、８で、後述する育毛トリートメント等を効果的に行うことができる。
次に、本実施形態のトリートメント装置１に設けられた接触子駆動機構としてのブラシ駆動機構を図１ないし図３に加え、図４ないし図６を用いて説明する。ここで、図４は、第１及び第２ブラシユニット７、８が、各々離間状態にあるブラシ駆動機構の断面図、図５は、第１及び第２ブラシユニット７、８が、各々近接状態にあるブラシ駆動機構の断面図、図６は、ブラシ駆動機構をブラシの先端側からみた平面図である。
これらの図に示すように、第１及び第２ブラシユニット７、８は、複数、例えば各々３０本程度の接触子たるブラシ１２、１４が、それらの基端部を通じてブラシ支持部１５、１６上に各々一体的に支持されるかたちで構成されている。つまり、これら複数のブラシ１２、１４は、筐体２（第２ケーシング９）に対し突設されている。また、個々のブラシ１２、１４は、樹脂材料等により先端に球面部を設けて円柱状に成形されている。
ブラシ駆動機構１７は、トリートメント対象の皮膚面Ｓに先端部を接触させたブラシ１２、１４を、当該皮膚面Ｓに沿った方向にそれぞれ往復動作、つまり、連続的にスライド動作させる。詳細には、ブラシ駆動機構１７は、第１ブラシユニット７のブラシ１２の先端部分と第２ブラシユニット８のブラシ１４の先端部分との近接又は離間が繰り返されるようにして当該第１及び第２ブラシユニット７、８を矢印Ｙ１−Ｙ２方向に往復動作（ブラシの径方向への往復変位動作）させるものである。
すなわち、ブラシ駆動機構１７は、図４及び図５に示すように、第１及び第２ブラシユニット７、８のブラシ支持部１５、１６に一端部が各々接続された第１及び第２アーム１８、１９と、第１及び第２アーム１８、１９の中央部分から分岐する分岐アーム１８ａ、１９ａと、分岐アーム１８ａ、１９ａの各先端部に設けられた支持軸２０、２１を通じて各々回転自在（回転フリー）に支持された第１及び第２ローラ２２、２３と、第１及び第２ローラ２２、２３の個々の周面に対し自身の周面にて各々摺動する位置に設けられた楕円形状のカム２４等とを備えている。このカム２４の中心部は、駆動軸２６に固定されている。この駆動軸２６は、第１ケーシング６内の電気部品の収容部５に収容されたモータ２５の出力軸にカップリング機構等を介して連結されている。
ここで、第１ブラシユニット７と第１アーム１８とからなるユニットは、回動中心となる第１アーム１８の他端部が回動可能（矢印Ｙ１−Ｙ２方向に揺動可能）にアーム軸２７に支持されている。一方、第２ブラシユニット８と第２アーム１９とからなるユニットは、回動中心となる第２アーム１９の他端部が回動可能（矢印Ｙ１−Ｙ２方向に揺動可能）にアーム軸２８に支持されている。これらアーム軸２７、２８は、第２ケーシング９上にそれぞれの基端部が支持されている。
さらに、ブラシ支持部１５とブラシ支持部１６との互いに対向する各端部には、係止部２９、３０が設けられており、この係止部２９、３０には、矢印Ｐ方向に付勢力（引張力）を発生させる引張ばね３１が掛け渡されている。すなわち、この引張ばね３１は、楕円形状のカム２４の周面に第１及び第２ローラ２２、２３の周面を圧接（押圧）する方向に第１及び第２アーム１８、１９を付勢する。
したがって、このように構成されたブラシ駆動機構１７では、モータ２５に電源を供給して駆動軸２６を駆動させ、カム２４を矢印Ｋ方向に回転させた場合には、図４、図５に示すように、アーム軸２７、２８を回動中心として第１及び第２アーム１８、１９が回動（揺動）し、これにより、第１及び第２ブラシユニット７、８のブラシ１２、１４の先端部分が、矢印Ｙ１−Ｙ２方向に往復動作することになる。
また、このように、第１（又は第２）ブラシユニットと第１（又は第２）アームとからなるユニットにおいて、ブラシの先端部と第１（又は第２）アーム上の回動中心部分と大きく離間させた構造とすることで、カム２４付近でのアームの僅かな変位を、ブラシの先端部では大きな変位とすることができ、ブラシ先端部のスライド（ストローク）量を大きく確保することができる。
つまり、トリートメント装置１では、トリートメント対象の皮膚面、例えば頭皮に先端部を接触させたブラシ１２、１４を往復動作させつつトリートメントを行うことができる。したがって、トリートメント装置１によれば、頭皮に対してのブラシ先端の摺動作用により、頭皮の毛穴周辺の古い角質や皮脂（抜け毛の原因となる例えば過剰酸化された脂［パーオキシド］）等の汚れ物質を効果的に除去することができ、頭皮の清浄化を図ることができる。
また、トリートメント装置１では、このように清浄化された頭皮の毛根部分がブラシ先端との摺動で刺激されることで、毛髪の代謝機能が促進し、優れた育毛効果を得ることができる。
さらに、トリートメント装置１では、往復動作するブラシ１２、１４を、筋肉疲労等が生じている手足や肩、腰等に押圧することで、身体のこのボディ部分がブラシ１２、１４の摺動作用で刺激されることによるマッサージ効果により、例えば肩こりや筋肉痛等を効果的に取り除く（ほぐす）ことができる。
また、トリートメント装置１によれば、当該ブラシ１２、１４を、美肌対象の手足、首筋、顔等に接触させることで、これにより得られる肌面の清浄化作用と、肌面でブラシ１２、１４の先端部が摺動してマッサージが行われることによる血行の促進作用等とにより、好適な美肌処理が施される。
ここで、トリートメント装置１では、前記第１及び第２の接触子群は、図６に示すように、ブラシどうしの移動軌跡の交差（オーバラップ）を三次元的にみて回避するように、第１ブラシユニット７の複数のブラシ１２と第２ブラシユニット８の複数のブラシ１４とが千鳥配置になっている。
つまり、第１ブラシユニット７を構成する複数のブラシ１２の植設位置に対し、相対的に、第２ブラシユニット８を構成する複数のブラシ１４の植設位置を矢印Ｘ１（又はＸ２）方向にずらしたかたちで、これらブラシ１２及びブラシ１４がそれぞれ配置されている。
これにより、トリートメント装置本体の小型化を図れることに加え、トリートメント対象の皮膚面の所定領域に対しブラシ１２、１４の先端部を密に摺動させることができるとともに、ブラシ部分の摺動にて頭皮を延ばしたり縮めたりする作用が効果的に得られ、これによりトリートメント効果のさらなる向上を図ることができる。
また、ブラシ支持部１５とブラシ支持部１６との互いに対向する各端部は、当該ブラシ振動機構１７の往復動作時に当該各端部どうしの移動軌跡の交差を避けるように、凹凸形状に形成され且つブラシのレイアウトと同様に対向する凹凸部分が千鳥配置になっている。
次に、本実施形態のトリートメント装置１に設けられた防水機能について説明する。
筐体２を構成する第１ケーシング６内の電気部品の収容部５には、図３に示すように、装置本体の駆動電源として設けられ、モータ２５への電力供給等を行う上記充電池３が内蔵されている。ここで、装置本体の駆動電源として乾電池を適用できるようにトリートメント装置１を構成してもよいし、ＡＣ（交流）電源等の電力導入回路をトリートメント装置１に設けてもよい。
また、第１ケーシング６の把持部６ａの近傍には、装置本体の駆動電源をＯＮ／ＯＦＦする始動スイッチ３２、停止スイッチ３３が設けられている。これらのスイッチの近傍には、給電状況（電源のＯＮ／ＯＦＦ）を、点灯／非点灯により示すＬＥＤ３４が設けられている。
さらに、上述した第１ケーシング６内の電気部品の収容部５には、充電池３の端子部が接続された導電部材３０ａと、この導電部材３０ａに基端部が接続された充電用コネクタ３５が収容されている。充電用コネクタ３５は、図３に示すように、筐体２（第１ケーシング６）の基端部に設けられた充電用アダプタ等の装着穴３６から、当該コネクタの先端側部分を外部に露出させるかたちで設けられている。ここで、充電用コネクタ３５の基端部と、このコネクタの基端部を保持する装着穴３６近傍の第１ケーシング６の内壁部分との間には、防水用のＯリング３７が介挿されている。
また、図２に示すように、第１ケーシング６の先端部、つまり、第１ケーシング６と第２ケーシング９とが着脱される段部３８には、三角形状の防水用のパッキン３９が介挿されている。このパッキン３９の中央部分には、長穴４０が穿孔されている。長穴４０の周縁部は、第１ケーシング６の電気部品の収容部５から、第１ケーシング６の先端方向（第２ケーシング９側）に突出する上記ロックバー１０の基端部の外周部分と、カム２４を駆動する駆動軸２６をガイドする円柱状のガイドバー４１の基端部の外周部分と、のそれぞれに密着するように形成されている。
ここで、ロックバー１０及びガイドバー４１の外周部と長穴４０の周縁部との間に隙間が生じるような場合には、この間隙部分に樹脂等を充填することが望ましい。つまり、上述したＯリング３７及びパッキン３９は、筐体２を構成する第１ケーシング６内の電気部品の収容部５を外部に対してシールする防水用のシール部材として機能する。
したがって、トリートメント装置１では、上述したメカニカルに動作するブラシ１２、１４やその駆動機構（浸水の原因になり得る振動発生源）を備えているものの、お風呂場等の使用環境においても浸水等を懸念することなくボディ洗浄や育毛等のトリートメントを施すことができる。これにより、例えば洗髪や身体のボディ部分の洗浄を併用するかたちで、好適なトリートメントを行うことができる。
また、既述したように、本実施形態のトリートメント装置１では、第１及び第２ブラシユニット７、８のブラシ１２、１４の先端部分どうしの近接又は離間が繰り返されるようにしてこれらを往復動作させるものである。したがって、トリートメント装置１によれば、例えばトリートメントの対象部分が例えば頭皮等である場合、この頭皮と摺動するブラシ１２、１４にて、実質的に頭皮を延ばしたり、また縮めたりする作用を付与しつつ育毛トリートメントを行うことができる。
これにより、頭皮からの汚れ物質の除去効果を高めることができるとともに、頭皮の上記伸縮（延縮）作用等により、毛根細胞等の活性化が図られ、好適な育毛処理を施すことができる。
さらに、このトリートメント装置１では、往復動作する第１及び第２ブラシユニット７、８のブラシ１２、１４の先端部分を頭皮に押圧する使用形態、往復動作中のブラシ１２、１４の先端で頭皮を軽く叩く使用形態、往復動作中のブラシ１２、１４で毛髪のブラッシングを行う使用形態等、種々のトリートメントの形態が例示される。
（第２の実施の形態）
次に、本発明の第２の実施の形態について説明する。
図７は、本発明の第２の実施形態に係るトリートメント装置を基端部側からみた斜視図、図８は、このトリートメント装置が備える第１及び第２ブラシユニット及びその周辺の構造を示す断面図である。
これらの図に示すように、この実施形態のトリートメント装置５１は、第１の実施形態のトリートメント装置１が備えていた第１及び第２ブラシユニット７、８に代えて、第１及び第２ブラシユニット５２、５３が適用されているとともに、さらに、特定の波長域の光を照射する光照射機構５４が搭載されている。
光照射機構５４は、光源として設けられた単数又は複数個のＬＥＤランプ５５を備えている。光照射機構５４は、ＬＥＤランプ５５の他、ＬＥＤランプ５５から放出される光を、トリートメント対象の皮膚面Ｓ（ブラシの先端側）に向けて導光する各種レンズやミラー等を備えるものであってもよい。
また、上記光照射機構５４のＬＥＤランプ５５の発光する光は、例えば波長域が５７２〜５７５ｎｍ）の黄色光であって、光度が例えば２２０ｍｃｄ程度である。ここで、ＬＥＤランプ５５の発光する光は、上記したように５７２〜５７５ｎｍの波長域の光であれば最適であり、また、少なくとも５５０〜５８０ｎｍの範囲内にある黄色光であることが望ましい。
この黄色光は、皮膚浸透度が高いため、皮膚表面のシミの除去等に効果的である。また、この黄色光によるクロモセラピー効果（色彩の作用）としては、肌の老化や肌荒れを抑制する効果等がある。
また、図８に示すように、ＬＥＤランプ５５は、第１ブラシユニット５２、５３をそれぞれ構成する複数のブラシ５７、５８の基端部分と第２ケーシンング９の本体部分との間の内部空間６１に配置されており、第２ケーシンング９に取り付けられた基板５６上に実装されている。
一方、複数のブラシ５７、５８をそれぞれ複数設けてユニット化した第１及び第２ブラシユニット５２、５３は、透光性（光透過性）を有する例えばアクリルやポリカーボネート等の樹脂材料によって形成されている。つまり、トリートメント装置５１では、光照射機構５４のＬＥＤランプ５５が発する光を各ブラシ５７、５８を透過させつつ、トリートメント対象の皮膚面に照射させることが可能となっている。
この構成により、上述したように、トリートメント装置５１の内部にＬＥＤランプ５５を配置することが可能となるため、お風呂場等でトリートメント装置５１を使用する場合等において、ＬＥＤランプ５５やその周辺の電気部品の防水効果が得られる。
また、個々のブラシ５７、５８の中心部分には、ＬＥＤランプ５５から発光される光を各ブラシ５７、５８の先端部近傍まで導光するための非貫通の導光穴５９がそれぞれ形成されている。この導光穴５９は、上記内部空間６１側に開口しており、ＬＥＤランプ５５から発光される光を個々のブラシ５７、５８の先端部側まで極力光量の損失なく導光できるように設けられている。なお、導光穴５９が、ブラシ５７、５８の先端側に対して非貫通である理由は、装置内部の防水性を確保するためのものである。
ここで、第１及び第２ブラシユニット５２、５３の材料として透光性を有する材料を選択せずに、所定の防水機能を確保した上で、個々のブラシ５７、５８の基端部どうしの間からＬＥＤランプ５５の表面を露出させるようにして、トリートメント装置５１を構成してもよい。
このように構成されたトリートメント装置５１では、ブラシ５７、５８の先端部をトリートメント対象の皮膚面Ｓ（例えば育毛対象の頭皮や美肌対象の肌面）に接触させた状態で、始動スイッチ６０をＯＮにして装置を稼働させた場合には、当該皮膚面Ｓに沿った方向にブラシ５７、５８が、スライド動作を繰り返す。この際、同時にＬＥＤランプ５５から橙色光が発光され、この光が、各ブラシ５７、５８の導光穴５９を経て各ブラシの先端部から皮膚面Ｓに向けて照射される。
したがって、本実施形態のトリートメント装置５１によれば、皮膚組織を構成するヘモグロビンやメラニン等に吸収させ易い波長域（例えば５７２〜５７５ｎｍ）の光（黄色光）を皮膚面Ｓに照射することによる皮膚深部の組織の活性化効果と、ブラシ５７、５８が皮膚面で摺動することによるマッサージ効果と、またこの摺動時に皮膚面Ｓに動的な刺激を付与できる振動効果との相乗効果により、好適な育毛処理や美肌処理を行うことができる。詳細には、皮膚面Ｓに照射されるこの黄色光は、上記メラニンに吸収され易いため、色素部位での蒸発作用により、肌の美白効果を得ることができる。
さらに、頭皮や肌面に育毛剤や美容液等の薬液を供給した状態で、トリートメント装置５１を駆動させてもよい。この場合、ブラシのスライド動作により皮膚面に生じる比較的低周波の振動と、特定波長の光（橙色光）とが、皮膚面Ｓに作用することで、皮膚内のアクアポリンが開き、薬液を皮膚内に浸透させ易くすることができる。
なお、上記ＬＥＤランプ５５では、波長域が５７２〜５７５ｎｍである黄色光を発光するものであったが、これに代えて、例えば４４０〜４４９ｎｍ程度の波長域の青色光、波長域５００〜５７４ｎｍの緑色光、波長域５９５〜６４０ｎｍの橙色光、波長域６４１〜７００ｎｍの赤色光等をそれぞれ発光するＬＥＤランプを適用してもよい。上記青色光は、ヘモグロビンによく吸収されるので、赤ら顔や赤アザに効果的である。また、上記緑色光は、上述した青色光よりも、皮膚浸透度が高いので、真皮深部のヘモグロビンに吸収され、真皮深部の赤アザに効果的である。さらに、上記橙色光は、メラニンやヘモグロビンに吸収され易く、茶色いシミの除去等に効果的である。また、上記赤色光は、皮膚浸透度が高く、皮膚深部のメラニンに反応し、皮膚の奥深くのシミの除去に効果的である。
以上、本発明を実施の形態により具体的に説明したが、本発明は前記実施形態にのみ限定されるものではなく、その要旨を逸脱しない範囲で種々変更可能である。例えば、上述した実施形態では、第１及び第２ブラシユニット７、８のブラシ１２、１４が矢印Ｙ１−Ｙ２方向に往復動作するものであったが、これに代えて、複数のブラシ１２、１４を矢印Ｘ１−Ｘ２方向に往復動作するようにブラシ振動機構を構成してもよい。
この場合、複数のブラシ１２が矢印Ｘ１方向にスライドしている動作中には、複数のブラシ１４が矢印Ｘ２方向にスライドする動作が行われることが望ましい。これにより、例えばブラシとの摺動により例えば頭皮の表面等を実質的に延ばしたり縮めたりする作用が、せん断方向（互い違い）に働き、頭皮からの汚れ物質の除去効果やマッサージ効果を高めることができる。
また、上述したブラシ駆動機構を配置するためのレイアウトに制約がある場合には、上記ブラシ駆動機構１７に代えて、図９及び図１０に示すように、ブラシ駆動機構４５を適用してもよい。ここで、図９及び図１０では、ブラシ駆動機構１７の構成部材とほぼ同様の部材には、図４、図５で記したものと同一の符号を付与し、その説明を省略する。
すなわち、ブラシ駆動機構４５は、ブラシ支持部４６、４７に一端部が各々接続された第１及び第２アーム４８、４９を備えている。第２ローラ２２、２３は、第１及び第２アーム４６、４７の他端部に設けられている。第１ブラシユニットと第１アーム４８とからなるユニットの回動中心となるアーム軸２７は、第１アーム４８のほぼ中央部分に設けられている。
また、第２ブラシユニットと第２アーム４９とからなるユニットの回動中心となるアーム軸２８は、第２アーム４９のほぼ中央部分に設けられている。引張ばね３１は、第１及び第２アーム１８、１９上の回動中心部分と第１及び第２ローラ２２、２３の支持部分との間に設けられた係止部２９、３０に係止されている。
このような構造のブラシ駆動機構４５においても、アーム軸２７、２８を回動中心として第１及び第２アーム４８、４９が回動（揺動）し、これにより、第１及び第２ブラシユニットのブラシ１２、１４の先端部分を矢印Ｙ１−Ｙ２方向に往復動作させることができる。勿論、図９、図１０に例示したブラシ駆動機構４５を第２の実施形態のトリートメント装置５１に対して適用してもよい。
【産業上の利用可能性】  本発明のトリートメント装置は、身体における例えば痩身効果のある経絡（ツボ）に対し、往復動作するブラシ先端を接触させ、ブラシによる摺動作用やこの際に生じる振動作用にて経絡を刺激することができるので、痩身装置等として適用することも可能である。
【図１】
2005025478.tif 000003
【図２】
2005025478.tif 000004
【図３】
2005025478.tif 000005
【図４】
2005025478.tif 000006
【図５】
2005025478.tif 000007
【図６】
2005025478.tif 000008
【図７】
2005025478.tif 000009
【図８】
2005025478.tif 000010
【図９】
2005025478.tif 000011
【図１０】
2005025478.tif 000012
【手続補正書】
【提出日】平成16年12月28日(2004.12.28)
【手続補正００１】
【補正対象書類名】特許請求の範囲
【補正対象項目名】特許請求の範囲
【補正方法】変更
【補正の内容】
【特許請求の範囲】
【請求項１】
電源を含む電気部品が内蔵された筐体と、
前記筐体に突設されトリートメント対象の皮膚面に先端部を接触させて用いる接触子と、
前記筐体内の前記電気部品の収容部を外部に対してシールする防水用のシール部材と、
前記トリートメント対象の皮膚面に先端部を接触させた前記接触子を該皮膚面に沿った方向に往復動作させる接触子駆動機構と
を具備することを特徴とするトリートメント装置。
【請求項２】
前記接触子をそれぞれ複数設けてユニット化した第１及び第２の接触子群を有し、
前記接触子駆動機構は、前記第１の接触子群の先端部分と前記第２の接触子群の先端部分との近接又は離間が繰り返されるようにして該第１及び第２の接触子群をそれぞれ往復動作させることを特徴とする請求項１記載のトリートメント装置。
【請求項３】
（補正後）前記第１の接触子群の複数の接触子と前記第２の接触子群の複数の接触子とは、接触子どうしの移動軌跡の交差を避けるように、これらの接触子の移動方向と直交する方向に各々ずらして配置されていることを特徴とする請求項２記載のトリートメント装置。
【請求項４】
前記筐体が、前記電気部品の収容部を有する第１のケーシングと前記接触子を支持する第２のケーシングとから構成され、
前記第１のケーシングに対し前記第２のケーシングを着脱自在に接合するための着脱機構をさらに具備することを特徴とする請求項１記載のトリートメント装置。
【請求項５】
前記接触子が、ブラシであることを特徴とする請求項１記載のトリートメント装置。
【請求項６】
前記トリートメント対象の皮膚面に特定の波長の光を照射する光照射機構をさらに具備することを特徴とする請求項１記載のトリートメント装置。
【請求項７】
前記接触子が透光性を有する材料で形成されていることを特徴とする請求項１記載のトリートメント装置。
【請求項８】
トリートメント対象の皮膚面に特定の波長の光を照射する光照射機構と、
前記光照射機構及び電源を少なくとも含む電気部品が内蔵された筐体と、
前記筐体内の前記電気部品の収容部を外部に対してシールする防水用のシール部材と、
前記筐体に突設され、前記光照射機構が発する光を透過させる透光性を有し且つ前記トリートメント対象の皮膚面に先端部を接触させて用いる複数のブラシを各々ユニット化してなる第１及び第２のブラシ群と、
前記トリートメント対象の皮膚面に先端部を接触させた前記第１のブラシ群の先端部分と前記第２のブラシ群の先端部分との近接又は離間が繰り返されるようにして該第１及び第２のブラシ群を該皮膚面に沿った方向にそれぞれ往復動作させるブラシ駆動機構と
を具備することを特徴とするトリートメント装置。
【請求項９】
（補正後）前記第１のブラシ群の複数のブラシと前記第２のブラシ群の複数のブラシとは、ブラシどうしの移動軌跡の交差を避けるように、これらのブラシの移動方向と直交する方向に各々ずらして配置されていることを特徴とする請求項８記載のトリートメント装置。
【請求項１０】
前記筐体は、前記電気部品の収容部を有する第１のケーシングと前記各ブラシを支持する第２のケーシングとから構成され、
前記第１のケーシングに対し前記第２のケーシングを着脱自在に接合するための着脱機構をさらに具備することを特徴とする請求項８記載のトリートメント装置。
【請求項１１】
（追加）前記光照射機構は、波長域５５０〜５８０ｎｍの範囲内にある光を照射することを特徴とする請求項６記載のトリートメント装置。
【請求項１２】
（追加）前記光照射機構が、前記接触子の基端部側に光源を備え、
前記接触子の中心部分には、当該接触子の基端部側にのみ開口を有し、且つ前記光源から発光される光を前記接触子の基端部側から先端部側へ導光するための非貫通の導光穴が形成されていることを特徴とする請求項７記載のトリートメント装置。
【請求項１３】
（追加）前記接触子駆動機構は、
前記第１及び第２の接触子群に各々の一端部が接続され、且つ各々の他端部が回動可能に支持された第１及び第２アームと、
前記第１及び第２の接触子群をそれぞれ往復動作させるための動作力を前記第１及び第２アームの中央部分に付与する少なくともカムを含む動力の伝達機構と
を備えることを特徴とする請求項２記載のトリートメント装置。
【請求項１４】
（追加）前記光照射機構は、波長域５５０〜５８０ｎｍの範囲内にある光を照射することを特徴とする請求項８記載のトリートメント装置。
【請求項１５】
（追加）前記光照射機構が、前記ブラシの基端部側に光源を備え、
前記ブラシの中心部分には、当該ブラシの基端部側にのみ開口を有し、且つ前記光源から発光される光を前記ブラシの基端部側から先端部側へ導光するための非貫通の導光穴が形成されていることを特徴とする請求項８記載のトリートメント装置。
【請求項１６】
（追加）前記ブラシ駆動機構は、
前記第１及び第２のブラシ群に各々の一端部が接続され、且つ各々の他端部が回動可能に支持された第１及び第２アームと、
前記第１及び第２のブラシ群をそれぞれ往復動作させるための動作力を前記第１及び第２アームの中央部分に付与する少なくともカムを含む動力の伝達機構と
を備えることを特徴とする請求項８記載のトリートメント装置。
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
電源を含む電気部品が内蔵された筺体と、
前記筺体に突設されトリートメント対象の皮膚面に先端部を接触させて用いる接触子と、
前記筺体内の前記電気部品の収容部を外部に対してシールする防水用のシール部材と、
前記トリートメント対象の皮膚面に先端部を接触させた前記接触子を該皮膚面に沿った方向に往復動作させる接触子駆動機構と
を具備することを特徴とするトリートメント装置。
【請求項２】
前記接触子をそれぞれ複数設けてユニット化した第１及び第２の接触子群を有し、
前記接触子駆動機構は、前記第１の接触子群の先端部分と前記第２の接触子群の先端部分との近接又は離間が繰り返されるようにして該第１及び第２の接触子群をそれぞれ往復動作させることを特徴とする請求項１記載のトリートメント装置。
【請求項３】
前記第１の接触子群の複数の接触子と前記第２の接触子群の複数の接触子とは、接触子どうしの移動軌跡の交差を避けるように、これらの接触子の移動方向と直交する方向に各々ずらして配置されていることを特徴とする請求項２記載のトリートメント装置。
【請求項４】
前記筺体が、前記電気部品の収容部を有する第１のケーシングと前記接触子を支持する第２のケーシングとから構成され、
前記第１のケーシングに対し前記第２のケーシングを着脱自在に接合するための着脱機構をさらに具備することを特徴とする請求項１記載のトリートメント装置。
【請求項５】
前記接触子がブラシであることを特徴とする請求項１記載のトリートメント装置。
【請求項６】
前記トリートメント対象の皮膚面に特定の波長の光を照射する光照射機構をさらに具備することを特徴とする請求項１記載のトリートメント装置。
【請求項７】
前記接触子が透光性を有する材料で形成されていることを特徴とする請求項１記載のトリートメント装置。
【請求項８】
トリートメント対象の皮膚面に特定の波長の光を照射する光照射機構と、
前記光照射機構及び電源を少なくとも含む電気部品が内蔵された筺体と、
前記筺体内の前記電気部品の収容部を外部に対してシールする防水用のシール部材と、
前記筺体に突設され、前記光照射機構が発する光を透過させる透光性を有し且つ前記トリートメント対象の皮膚面に先端部を接触させて用いる複数のブラシを各々ユニット化してなる第１及び第２のブラシ群と、
前記トリートメント対象の皮膚面に先端部を接触させた前記第１のブラシ群の先端部分と前記第２のブラシ群の先端部分との近接又は離間が繰り返されるようにして該第１及び第２のブラシ群を該皮膚面に沿った方向にそれぞれ往復動作させるブラシ駆動機構と
を具備することを特徴とするトリートメント装置。
【請求項９】
前記第１のブラシ群の複数のブラシと前記第２のブラシ群の複数のブラシとは、ブラシどうしの移動軌跡の交差を避けるように、これらのブラシの移動方向と直交する方向に各々ずらして配置されていることを特徴とする請求項８記載のトリートメント装置。
【請求項１０】
前記筺体は、前記電気部品の収容部を有する第１のケーシングと前記各ブラシを支持する第２のケーシングとから構成され、
前記第１のケーシングに対し前記第２のケーシングを着脱自在に接合するための着脱機構をさらに具備することを特徴とする請求項８記載のトリートメント装置
【請求項１１】
前記光照射機構は、波長域５５０〜５８０ｎｍの範囲内にある光を照射することを特徴とする請求項６記載のトリートメント装置。
【請求項１２】
前記光照射機構が、前記接触子の基端部側に光源を備え、
前記接触子の中心部分には、当該接触子の基端部側にのみ開口を有し、且つ前記光源から発光される光を前記接触子の基端部側から先端部側へ導光するための非貫通の導光穴が形成されていることを特徴とする請求項７記載のトリートメント装置。
【請求項１３】
前記接触子駆動機構は、
前記第１及び第２の接触子群に各々の一端部が接続され、且つ各々の基端部が回動可能に支持された第１及び第２アームと、
前記第１及び第２の接触子群をそれぞれ往復動作させるための動作力を前記第１及び第２アームの中央部分に付与する少なくともカムを含む動力の伝達機構と
を備えることを特徴とする、請求項２記載のトリートメント装置。
【請求項１４】
前記光照射機構は、波長域５５０〜５８０ｎｍ範囲内にある光を照射することを特徴とする請求項８記載のトリートメント装置。
【請求項１５】
前記光照射機構が、前記ブラシの基端部側に光源を備え、
前記ブラシの中心部分には、当該ブラシの基端部側にのみ開口を有し、且つ前記光源から発光される光を前記ブラシの基端部側から先端部側へ導光するための非貫通の導光穴が形成されていることを特徴とする請求項８記載のトリートメント装置。
【請求項１６】
前記ブラシ駆動機構は、
前記第１及び第２のブラシ群に各々の一端部が接続され、且つ各々の他端部が回動可能に支持された第１及び第２アームと、
前記第１及び第２のブラシ群をそれぞれ往復動作させるための動作力を前記第１及び第２アームの中央部分に付与する少なくともカムを含む動力の伝達機構と
を備えることを特徴とする請求項８記載のトリートメント装置。
【請求項１７】
頭皮に先端部を接触させて用いるブラシと、
前記ブラシを支持するとともに、電源を含む電気部品が内蔵された筺体と、
前記筺体内を外部に対してシールする防水用のシール部材と、
前記頭皮に先端部を接触させた前記ブラシを駆動させることにより、前記頭皮の汚れを除去しつつ前記頭皮に刺激を与えるブラシ駆動機構と
を具備することを特徴とするトリートメント装置。
【手続補正２】
【補正対象書類名】明細書
【補正対象項目名】０００３
【補正方法】変更
【補正の内容】
【０００３】
けてユニット化した第１及び第２の接触子群を有し、前記接触子駆動機構が、前記第１の接触子群の先端部分と前記第２の接触子群の先端部分との近接又は離間が繰り返されるようにして該第１及び第２の接触子群をそれぞれ往復動作させることを特徴とする。
さらに、本発明のトリートメント装置は、前記第１の接触子群の複数の接触子と前記第２の接触子群の複数の接触子とが、接触子どうしの移動軌跡の交差を避けるように、これらの接触子の移動方向と直交する方向に各々ずらして配置されていることを特徴とする。
また、本発明のトリートメント装置は、前記筺体が、前記電気部品の収容部を有する第１のケーシングと前記接触子を支持する第２のケーシングとから構成され、前記第１のケーシングに対し前記第２のケーシングを着脱自在に接合するための着脱機構をさらに具備することを特徴とする。
さらに、本発明のトリートメント装置は、前記接触子が、ブラシであることを特徴とする。
また、本発明のトリートメント装置は、前記トリートメント対象の皮膚面に特定の波長の光を照射する光照射機構をさらに具備することを特徴とする。
さらに、本発明のトリートメント装置は、前記接触子が透光性を有する材料で形成されていることを特徴とする。
また、本発明のトリートメント装置は、トリートメント対象の皮膚面に特定の波長の光を照射する光照射機構と、前記光照射機構及び電源を少なくとも含む電気部品が内蔵された筺体と、前記筺体内の前記電気部品の収容部を外部に対してシールする防水用のシール部材と、前記筺体に突設され、前記光照射機構が発する光を透過させる透光性を有し且つ前記トリートメント対象の皮膚面に先端部を接触させて用いる複数のブ


【手続補正３】
【補正対象書類名】明細書
【補正対象項目名】０００４
【補正方法】変更
【補正の内容】
【０００４】
ラシを各々ユニット化してなる第１及び第２のブラシ群と、前記トリートメント対象の皮膚面に先端部を接触させた前記第１のブラシ群の先端部分と前記第２のブラシ群の先端部分との近接又は離間が繰り返されるようにして該第１及び第２のブラシ群を該皮膚面に沿った方向にそれぞれ往復動作させるブラシ駆動機構とを具備することを特徴とする。
さらに、本発明のトリートメント装置は、前記第１のブラシ群の複数のブラシと前記第２のブラシ群の複数のブラシとが、ブラシどうしの移動軌跡の交差を避けるように、これらのブラシの移動方向と直交する方向に各々ずらして配置されていることを特徴とする。
また、本発明のトリートメント装置は、前記光照射機構及び電源を少なくとも含も電気部品が内蔵された筺体が、前記電気部品の収容部を有する第１のケーシングと前記各ブラシを支持する第２のケーシングとから構成され、前記第１のケーシングに対し前記第２のケーシングを着脱自在に接合するための着脱機構をさらに具備することを特徴とする。
さらに、本発明のトリートメント装置は、前記光照射機構が、波長域５５０〜５８０ｎｍの範囲内にある光を照射することを特徴とする。
また、本発明のトリートメント装置は、前記光照射機構が、前記接触子の基端部側に光源を備え、前記接触子の中心部分には、当該接触子の基端部側にのみ開口を有し、且つ前記光源から発光される光を前記接触子の基端部側から先端部側へ導光するための非貫通の導光穴が形成されていることを特徴とする。
さらに、本発明のトリートメント装置は、前記接触子駆動機構が、前記第１及び第２の接触子群に各々の一端部が接続され、且つ各々の他端部が回動可能に支持された第１及び第２アームと、前記第１及び第２の接触子群をそれぞれ往復動作させるための動作力を前記第１及び第２アームの中央部分に付与する少なくともカムを含む動力の伝達機構とを備えることを特徴とする。
また、本発明のトリートメント装置は、前記光照射機構が、前記ブラシの基端部側に光源を備え、前記ブラシの中心部分には、当該ブラシの基端部側にのみ開口を有し、且つ前記光源から発光される光を前記ブラシの基端部側から先端部側へ導光するための非貫通の導光穴が形成されていることを特徴とする。
さらに、本発明のトリートメント装置は、前記ブラシ駆動機構が、前記第１及び第２のブラシ群に各々の一端部が接続され、且つ各々の他端部が回動可能に支持された第１及び第２アームと、前記第１及び第２のブラシ群をそれぞれ往復動作させるための動作力を前記第１及び第２アームの中央部分に付与する少なくともカムを含む動力の伝達機構とを備えることを特徴とする。
また、本発明のトリートメント装置は、頭皮に先端部を接触させて用いるブラシと、前記ブラシを支持するとともに、電源を含む電気部品が内蔵された筺体と、前記筺体内を外部に対してシールする防水用のシール部材と、前記頭皮に先端部を接触させた前記ブラシを駆動させることにより、前記頭皮の汚れを除去しつつ前記頭皮に刺激を与えるブラシ駆動機構とを具備することを特徴とする。
【図面の簡単な説明】
図１は、本発明の第１の実施形態のトリートメント装置を示す斜視図である。
図２は、図１に示すトリートメント装置の分解斜視図である。
図３は、図１に示すトリートメント装置を基端部側からみた斜視図である。
図４は、図１のトリートメント装置が備えるブラシ駆動機構（ブラシどうしの離間状態）を示す断面図である。
図５は、図４のブラシ駆動機構のブラシどうしの近接状態を示す断面図である。
図６は、図４のブラシ駆動機構をブラシの先端側からみた平面図であ




【国際調査報告】
2005025478.tif 000013
2005025478.tif 000014
2005025478.tif 000015
2005025478.tif 000016